(57)【要約】【課題】貯留タンク、中和処理装置および塩素成分除去装置を一体に備える貯留装置をコンパクトに構成して既存の配置スペースに十分に配置し、かつ、中和処理装置、塩素成分除去装置が中和処理能力、塩素除去能力を十分に発揮し得るようにする。【解決手段】貯留する貯留タンク１０ａ、その内部の余剰の電解生成酸性水をオーバフロー流路を通して導入する中和処理装置２０、貯留タンク１０ａ内に滞留する塩素成分含有ガスを導入する塩素除去装置３０を備え、貯留タンク１０ａに貯留されている電解生成酸性水を所定の場所に供給可能に構成した貯留装置であり、中和処理装置２０は貯留タンク１０ａの左右の一側における下方側に並列配置され、塩素除去装置３０は中和処理装置２０の上方側にて並列配置されて、貯留タンク１０ａ内の上方空間部に連通し、かつ、オーバフロー流路の途中に設けたガス滞留部Ｒに連通している。【選択図】    図３
2005054242.tif 000002
【特許請求の範囲】
【請求項１】
電解生成酸性水の流入口および流出口を有する貯留タンクと、同貯留タンク内の余剰の電解生成酸性水をオーバフロー流路を通して導入して中和処理する中和剤を内蔵する中和処理装置と、前記貯留タンク内の上方空間部に連通し同上方空間部に滞留する塩素成分を含有するガスを導入して塩素成分を除去する塩素成分除去剤を内蔵する塩素除去装置を備え、前記貯留タンクに貯留されている電解生成酸性水を所定の場所に供給可能に構成してなる電解生成水の貯留装置であり、前記中和処理装置は前記貯留タンクの左右の一側における下方側に並列配置され、かつ、前記塩素除去装置は前記中和処理装置の上方側にて前記貯留タンクの左右の一側に並列配置されていて、前記塩素除去装置は、前記貯留タンク内の上方空間部に連通するとともに、前記オーバフロー流路に設けたガス滞留部に連通していることを特徴とする電解生成水の貯留装置。
【請求項２】
電解生成酸性水の流入口および流出口を有する第１の貯留タンクと、電解生成アルカリ性水の流入口および流出口を有する第２の貯留タンクと、前記第１の貯留タンク内の余剰の電解生成酸性水をオーバフロー流路を通して導入して中和処理する中和剤を内蔵する中和処理装置と、前記第１の貯留タンク内の上方空間部に連通し同上方空間部に滞留する塩素成分を含有するガスを導入して塩素成分を除去する塩素成分除去剤を内蔵する塩素除去装置を備え、前記第１の貯留タンクに貯留されている電解生成酸性水、および、前記第２の貯留タンクに貯留されている電解生成アルカリ性水をそれぞれ所定の場所に供給可能に構成してなる電解生成水の貯留装置であり、前記両貯留タンクは所定間隔を保持して互いに左右に並列配置され、前記中和処理装置はこれら両貯留タンク間における下方側に配置され、かつ、前記塩素除去装置はこれら両貯留タンク間にて前記中和処理装置の上方側に配置されていて、同塩素除去装置は、少なくとも前記第１の貯留タンク内の上方空間部に連通するとともに、前記オーバフロー流路に設けたガス滞留部に連通していることを特徴とする電解生成水の貯留装置。
【請求項３】
請求項１または２に記載の貯留装置において、前記オーバフロー流路は、前記第１の貯留タンクに連結されて同貯留タンク内の余剰の電解生成酸性水を導出する導出管路と、前記中和処理装置に連結されて余剰の電解生成酸性水を導入する導入管路と、これらの導出管路および導入管路を空間部を介して互いに連結して同空間部をガス滞留部に形成する箱状連結部材を備え、前記塩素成分除去装置は前記箱状連結部材に連通していることを特徴とする電解生成水の貯留装置。
【請求項４】
請求項１または２に記載の貯留装置において、前記オーバフロー流路は、前記第１の貯留タンクから流出する余剰の電解生成酸性水を前記中和処理装置に導入する導入管路と、前記導入管路の途中から分岐し同導入管路より上方位置に延びて内部をガス滞留部に形成する分岐管部を備え、前記塩素成分除去装置は前記分岐管部に連通していることを特徴とする電解生成水の貯留装置。
【発明の詳細な説明】
【技術分野】
【０００１】
本発明は、電解生成水の貯留装置に関する。
【背景技術】
【０００２】
電解生成水の使用態様して、電解水生成装置で生成された電解生成水を直接使用する態様と、電解水生成装置で生成された電解生成水を一旦貯留タンクに貯留し、必要時に、当該貯留タンクに貯留されている電解生成水を抽出して使用する態様とがある。後者の使用態様を採る場合には、当該貯留タンクを備えた電解生成水の貯留装置が使用される。
【０００３】
当該貯留装置においては、貯留タンク内には、電解水生成装置の電解運転によって、電解生成水が順次供給されるが、貯留タンクの容量は所定量に規定されていることから、順次供給されることによって余剰となった電解生成水は、オーバフローパイプ等を通して貯留タンクから導出されて排出される。すなわち、貯留タンク内の電解生成水が余剰量に達した場合には、その都度排水される。また、貯留タンク内の上方空間部（ガス滞留部）には、貯留されている電解生成水中から揮発した成分がガスとして滞留することから、ガス滞留部に滞留するガスを外気へ放出する必要がある。
【０００４】
この場合、貯留タンクに滞留する電解生成水が電解生成酸性水である場合には、余剰の電解生成酸性水を排水する際には、これを中和処理して略中性水の状態で排水する必要があり、また、貯留タンクのガス滞留部に滞留しているガスを外気に放出する際には、滞留ガス中の塩素成分を除去する必要がある。
【０００５】
電解水生成装置で生成される電解生成酸性水を排水時に中和処理する手段に関しては、使用済みの電解生成酸性水を中和剤を内蔵する中和処理槽に導入し、当該中和処理槽内で中和処理して排水する手段が提案されている（特許文献１参照）。また、電解生成酸性水から発生するガス中の塩素成分を除去する手段に関しては、塩素成分除去手段を、電解水生成装置を構成する電解槽に直接設置する手段が提案されている（特許文献２参照）。
【０００６】
しかしながら、電解水生成装置とは独立して配置される形式の電解生成水の貯留装置にあっては、中和処理槽等の中和処理装置や塩素成分除去装置を一体に備える形式の貯留装置は未だ提案されていない。電解生成水の貯留装置が大型であって、配置スペースに大きな制約がない貯留装置については、中和処理装置および塩素成分除去装置の一体化は容易に考えられるとしても、厨房のシンク下等に配置される貯留装置等、配置スペースに大きな制約を受ける小型の電解生成水の貯留装置にあっては、中和処理装置および塩素成分除去装置を一体に備える貯留装置をコンパクトに構成することは難しい。
【特許文献１】特開平１０−０００４８０号公報
【特許文献２】特開２００２−３１６１６１号公報
【発明の開示】
【発明が解決しようとする課題】
【０００７】
本発明は、このような実状に鑑みなされたもので、その主たる目的は、中和処理装置および塩素成分除去装置を一体に備える貯留装置をコンパクトに構成して既存の配置スペースに十分に配置し得るようにすること、および、貯留装置がコンパクトであっても、中和処理装置および塩素成分除去装置が中和処理能力や塩素成分除去能力を十分に発揮し得るようにして、中和処理装置および塩素除去装置自体のコンパクト化を図り、以て、貯留装置の一層のコンパクト化を図ることにある。
【課題を解決するための手段】
【０００８】
本発明は、電解生成水の貯留装置に関する。本発明に係る電解生成水の第１の貯留装置は、電解生成酸性水の流入口および流出口を有する貯留タンクと、同貯留タンク内の余剰の電解生成酸性水をオーバフロー流路を通して導入して中和処理する中和剤を内蔵する中和処理装置と、前記貯留タンク内の上方空間部に連通し同上方空間部に滞留する塩素成分を含有するガスを導入して塩素成分を除去する塩素成分除去剤を内蔵する塩素除去装置を備え、前記貯留タンクに貯留されている電解生成酸性水を所定の場所に供給可能に構成してなる電解生成水の貯留装置である。
【０００９】
しかして、当該貯留装置においては、前記中和処理装置は前記貯留タンクの左右の一側における下方側に並列配置され、かつ、前記塩素除去装置は前記中和処理装置の上方側にて前記貯留タンクの左右の一側に並列配置されていて、前記塩素除去装置は、前記貯留タンク内の上方空間部に連通するとともに、前記オーバフロー流路に設けたガス滞留部に連通していることを特徴とするものである。
【００１０】
また、本発明に係る電解生成水の第２の貯留装置は、電解生成酸性水の流入口および流出口を有する第１の貯留タンクと、電解生成アルカリ性水の流入口および流出口を有する第２の貯留タンクと、前記第１の貯留タンク内の余剰の電解生成酸性水をオーバフロー流路を通して導入して中和処理する中和剤を内蔵する中和処理装置と、前記第１の貯留タンク内の上方空間部に連通し同上方空間部に滞留する塩素成分を含有するガスを導入して塩素成分を除去する塩素成分除去剤を内蔵する塩素除去装置を備え、前記第１の貯留タンクに貯留されている電解生成酸性水、および、前記第２の貯留タンクに貯留されている電解生成アルカリ性水をそれぞれ所定の場所に供給可能に構成してなる電解生成水の貯留装置である。
【００１１】
しかして、当該貯留装置においては、前記両貯留タンクは所定間隔を保持して互いに左右に並列配置され、前記中和処理装置はこれら両貯留タンク間における下方側に配置され、かつ、前記塩素除去装置はこれら両貯留タンク間にて前記中和処理装置の上方側に配置されていて、同塩素除去装置は、少なくとも前記第１の貯留タンク内の上方空間部に連通するとともに、前記オーバフロー流路に設けたガス滞留部に連通していることを特徴とするものである。
【００１２】
本発明に係る各貯留装置においては、前記オーバフロー流路を、前記第１の貯留タンクに連結されて同貯留タンク内の余剰の電解生成酸性水を導出する導出管路と、前記中和処理装置に連結されて余剰の電解生成酸性水を導入する導入管路と、これらの導出管路および導入管路を空間部を介して互いに連結して同空間部をガス滞留部に形成する箱状連結部材を備える構成として、前記塩素成分除去装置を前記箱状連結部材に連通させる構成とすることができる。
【００１３】
また、本発明に係る各貯留装置においては、前記オーバフロー流路を、前記第１の貯留タンクから流出する余剰の電解生成酸性水を前記中和処理装置に導入する導入管路と、前記導入管路の途中から分岐し同導入管路より上方位置に延びて内部をガス滞留部に形成する分岐管部を備える構成として、前記塩素成分除去装置を前記分岐管部に連通させる構成とすることができる。
【発明の効果】
【００１４】
本発明に係る電解生成水の各貯留装置においては、中和処理装置を貯留タンクの一側における下方側に並列配置し、かつ、塩素成分除去装置を貯留タンクの一側における中和処理装置の上方側にて並列配置して、塩素成分除去装置を、貯留タンク内の上方空間部に連通させ、かつ、余剰の電解生成酸性水を中和処理装置内に導入するためのオーバフロー流路に設けたガス滞留部に連通させる構成を採っている。このため、塩素成分除去装置を貯留タンク側および中和処理装置側に連通させる連結構造が簡単かつ小型でよい。この結果、塩素成分除去装置および中和処理装置を貯留タンクに一体化してなる第１の貯留装置をコンパクトに構成することができ、また、塩素成分除去装置および中和処理装置を一対の貯留タンクに一体化してなる第２の貯留装置をコンパクトに構成することができる。
【００１５】
かかる構成の本発明に係る各貯留装置において、塩素成分除去装置は、貯留タンク内で発生するガス中の塩素成分を的確に除去することができるとともに、中和処理装置内への導入途中の電解生成酸性水が含有する塩素成分を効果的に除去して、中和処理装置内での塩素成分の揮発を大きく抑制することができて、中和処理装置内で発生するガスの含有量を、放出が許容される十分に微量な値にすることができる。
【００１６】
本発明に係る各貯留装置において、オーバフロー流路を、第１の貯留タンクに連結されて同貯留タンク内の余剰の電解生成酸性水を導出する導出管路と、中和処理装置に連結されて余剰の電解生成酸性水を導入する導入管路と、これらの導出管路および導入管路を空間部を介して互いに連結して同空間部をガス滞留部に形成する箱状連結部材を備える構成とすれば、塩素成分除去装置と当該ガス滞留部を連通させる連結構造が簡単化され、装置全体を一層コンパクトに構成することができる。
【００１７】
また、本発明に係る各貯留装置において、オーバフロー流路を、第１の貯留タンクから流出する余剰の電解生成酸性水を前記中和処理装置に導入する導入管路と、導入管路の途中から分岐し同導入管路より上方位置に延びて内部をガス滞留部に形成する分岐管部を備える構成としても、塩素成分除去装置と当該ガス滞留部を連通させる連結構造が簡単化され、装置全体を一層コンパクトに構成することができる。
【発明を実施するための最良の形態】
【００１８】
本発明は、電解生成水の貯留装置に関するものであり、図１〜図３には、本発明に係る電解生成水の第２の貯留装置における一実施形態を示している。図１は、当該貯留装置Ａの各構成部品の連結状態を示す概略的構成図であり、図２は当該貯留装置Ａの前側からみた斜視図を示し、かつ、図３は当該貯留装置Ａを左右の略中央部で切断した状態の一側からみた斜視図である。当該貯留装置Ａは、第１貯留タンク１０ａ、第２貯留タンク１０ｂ、中和処理装置２０、および、塩素成分除去装置３０を主要構成部品とするもので、これらの構成部品１０ａ，１０ｂ，２０，３０は、図１に示す連結構造を採って、図２に示すように、互いに一体的に配置して構成されているものである。当該貯留装置Ａは、電解水生成装置Ｂに連結された状態で、厨房に配設されているシンクの下方空間部Ｃに設置されている。
【００１９】
当該貯留装置Ａは、図２に示すように、正面に向かって左側に第１貯留タンク１０ａが配置され、かつ、右側に所定の間隔を保持して第２貯留タンク１０ｂが配置されている。中和処理装置２０は、これらの両貯留タンク１０ａ，１０ｂ間に配置され、かつ、塩素成分除去装置３０は、これらの両貯留タンク１０ａ，１０ｂ間にて中和処理装置２０の上方側に配置されている。これらの各構成部品１０ａ，１０ｂ，２０，３０の背面側は、カバー４１にて覆蓋されている。当該貯留装置Ａにおいては、第１貯留タンク１０ａが電解生成酸性水を貯留する専用のタンクに構成され、かつ、第２貯留タンク１０ｂが電解生成アルカリ性水を貯留する専用のタンクに構成されている。これら各貯留タンク１０ａ，１０ｂの流入口は、カバー４１の一側に取付けた切替弁４２の各流出ポート４２ａ，４２ｂに、供給パイプ４３を介して連結されている。但し、図３には、第１貯留タンク１０ａおよびこれに連結する供給パイプ４３のみを示している。
【００２０】
当該電解水生成装置Ｂは、被電解水である希薄食塩水を有隔膜電解して、電解槽ｂ1の陽極側電解室にて酸性水（電解生成酸性水）を生成し、電解槽ｂ1の陰極側電解室にてアルカリ性水（電解生成アルカリ性水）を生成する。電解槽ｂ1の各電解室は、各流出パイプｂ2を介して、切替弁４２の各流入ポートに連結されている。これにより、電解槽ｂ1の陽極側電解室で生成される電解生成酸性水は切替弁４２を通して第１貯留タンク１０ａに供給され、かつ、電解槽ｂ1の陰極側電解室で生成される電解生成アルカリ性水は切替弁４２を通して第２貯留タンク１０ｂ内に供給される。
【００２１】
但し、当該電解槽ｂ1は、両電解室の極性が定期的に反転される構成のものであって、このため、各貯留タンク１０ａ，１０ｂの電解槽ｂ1の各電解室に対する連結状態は、切替弁４２を介して、電解槽ｂ1における両電解室の極性の反転に対応して切替えられる。これにより、電解槽ｂ1にて生成される電解生成酸性水は、常に第１貯留タンク１０ａに供給され、かつ、電解槽ｂ1にて生成される電解生成アルカリ性水は、常に第２貯留タンク１０ｂに供給される。
【００２２】
従って、当該電解水生成装置Ｂは、電解運転時には、電解槽ｂ1で生成される電解生成酸性水を切替弁４２を通して第１貯留タンク１０ａに所定量供給し、電解槽ｂ1で生成される電解生成アルカリ性水を切替弁４２を通して第２貯留タンク１０ｂに所定量供給する。これにより、電解槽ｂ1で生成された電解生成酸性水は一旦第１貯留タンク１０ａに貯留され、かつ、電解槽ｂ1で生成された電解生成アルカリ性水は一旦第２貯留タンク１０ｂに貯留される。各貯留タンク１０ａ，１０ｂに貯留されている電解生成酸性水、電解生成アルカリ性水は、必要により、抽出管路を通して抽出されて使用される。当該電解水生成装置Ｂの電解運転、および、当該貯留装置Ａに対する電解生成水の貯留および抽出は、図示しないコントローラにて制御される。
【００２３】
当該貯留装置Ａにおいては、第１貯留タンク１０ａ，１０ｂは互いに独立した状態にあり、第１貯留タンク１０ａは中和処理装置２０および塩素成分除去装置３０に連結し、第２貯留タンク１０ｂは中和処理装置２０および塩素成分除去装置３０とは非連結状態にある。第１貯留タンク１０ａにおいては、タンク本体１１に連結されている抽出管路１２の途中に供給ポンプ１３が介装されていて、必要時に供給ポンプ１３を駆動することにより、第１貯留タンク１０ａ内に貯留されている電解生成酸性水が抽出されて、使用に供されるようになっている。また、第２貯留タンク１０ｂにおいては、タンク本体１４に連結されている抽出管路１５の途中に供給ポンプ１６が介装されていて、必要時に供給ポンプ１６を駆動することにより、第２貯留タンク１０ｂ内に貯留されている電解生成アルカリ性水が抽出されて、使用に供されるようになっている。
【００２４】
第１貯留タンク１０ａは、図４に示すように、所定の容量を有する長方形の箱状のタンク本体１１を主体とするもので、タンク本体１１には、その右側壁部の上方部位における後端側に供給孔１１ａを備え、かつ、同上方部位における中間部に流出孔１１ｂを備えている。供給孔１１ａは、電解生成酸性水をタンク本体１１内に供給すべく機能するもので、切替弁４２の第１流出ポート４２ａに連結される供給パイプ４３に連結される。また、流出孔１１ｂは、タンク本体１１内の余剰の電解生成酸性水を流出すべく機能するもので、後述するオーバフロー流路を構成する連結機構部２０ａに連結される。なお、第１貯留タンク１０ａにおいては、タンク本体１１の前側壁部における下方の部位に、タンク本体１１内に貯留されている電解生成酸性水を底部から抜き出すためのドレン孔１１ｃを備えるとともに、タンク本体１１の後側壁部における下方の部位に、図示しない抽出孔を備えている。同抽出孔には、抽出管路１２の先端が連結されている。
【００２５】
第２貯留タンク１０ｂは、第１貯留タンク１０ａとは左右対称の類似構造のもので、タンク本体１４の左側壁部に、第１貯留装置１０ａのケース本体１１が有する供給孔１１ａおよび流出孔１１ｂに相当する供給孔および流出孔を備えている。当該供給孔は、電解生成アルカリ性水をタンク本体１４内に供給すべく機能するもので、切替弁４２の第２流出ポート４２ｂに連結されている図示しない供給パイプが連結される。また、当該流出孔は、タンク本体１４内の余剰の電解生成アルカリ性水を流出すべく機能するもので、当該流出孔には、図１に示すオーバフローパイプ１７が連結されている。オーバフローパイプ１７は、中和処理装置２０が有する後述する排水パイプに連結されている。
【００２６】
中和処理装置２０は、図２、図３および図５に示すように、側面が略長八角形の所定幅の箱状のケース本体２１と、ケース本体２１の後側壁部の下方の部位を貫通してケース本体２１内に延びる導入パイプ２２と、ケース本体２１の後側壁部の中央部位に取付けられて後方へ延びる排水パイプ２３と、ケース本体２１の上方後部の肩部に配設した連結機構部２０ａを備えている。連結機構部２０ａは、第１貯留タンク１０ａから中和処理装置２０へのオーバフロー流路を形成すべく機能するとともに、第１貯留タンク１０ａ内で発生する上方空間部に滞留するガスの塩素成分除去装置３０への導入路を形成するべく機能するとともに、オーバフロー流路に形成された後述するガス滞留部で発生するガスの塩素成分除去装置３０への導入路を形成するべく機能する。
【００２７】
当該連結機構部２０ａは、長方形状で密閉状のケース２４と、ケース２４の底壁部の略中央部位を貫通する連通パイプ２５と、ケース２４の上壁部の前側部位を貫通する連結具２６と、ケース２４の底壁部の後側部位を貫通する連結パイプ２７によって構成されている。連結具２６は、横方向に延びる第１連結管部２６ａと、第１連結管部２６ａの長手方向の中央部位から下方に延びてケース２４内の上方部に臨む第２連結管部２６ｂと、第１連結管部２６ａから後方へ延びる第３連結管部２６ｃを備えている。
【００２８】
当該連結機構部２０ａにおいては、第１連結管部２６ａはその開口部である一端側にて、第１貯留タンク１０ａの流出孔１１ｂに直接連結され、第３連結管部２６ｃにて、塩素成分除去装置３０に連結する後述するガス導入パイプ３３に連結されている。また、当該連結機構部２０ａにおいては、ケース２４の底壁部の後側部位に位置する連結パイプ２７に、導入パイプ２２の上端部が連結している。
【００２９】
これにより、当該連結機構部２０ａは導入パイプ２２とともに、第１貯留タンク１０ａの流出孔１１ｂから流出する余剰の電解生成酸性水を中和処理装置２０内に導入するオーバフロー流路を形成する。当該オーバフロー流路においては、ケース２４は電解生成酸性水を一旦滞留させる液体滞留部Ｒとして機能するととともに、滞留する電解生成酸性水から揮発するガスのガス滞留部Ｒとしても機能する。液体滞留部Ｒに導入されて一旦滞留した電解生成酸性水は、液面が所定の高さに達すると、連結パイプ２７および導入パイプ２２を通して中和処理装置２０のケース本体２１内に導入される。また、液体滞留部Ｒを兼用するガス滞留部Ｒでは、滞留する電解生成酸性水から揮発成分が蒸発してガスとして滞留する。当該ガス滞留部Ｒは、余剰の電解生成酸性水が流入していないときには、連結具２６およびガス導入パイプ３３を通して塩素成分除去装置３０に連通している。
【００３０】
当該中和処理装置２０におけるケース本体２１は、合成樹脂を材料として成形されている半透明のものであり、前側壁部における上方傾斜部には供給口２１ａを備え、かつ、前壁部における中央垂直部には上下一対の突条の目盛り２１ｂ，２１ｃを備えている。供給口２１ａは受け口状を呈していて、取外し可能なキャップ２８にて覆蓋されている。中和剤は、キャップ２８を取外した状態の供給口２１ａからケース本体２１内に投入される。ケース本体２１が内蔵する中和剤は、ケース本体２１が半透明であることから外部から目視可能であり、上方の目盛り２１ｂを基準に内蔵している中和剤の上限位置を確認し、かつ、下方の目盛り２１ｃを基準に内蔵している中和剤の下限位置を確認することができる。当該中和処理装置２０においては、中和剤として、炭酸カルシウムを主成分とする寒水石が採用される。中和剤は、中和処理中に漸次消費されて下限位置に達する。作業者は中和剤の下限位置を確認して、中和剤を供給口２１ａを通してケース本体２１内に投入して、上限位置に達するまで補充する。
【００３１】
塩素成分除去装置３０は、図２、図３および図６に示すように、長方形状の所定幅で所定厚みの箱状を呈するもので、ケース本体３１と、ケース本体３１内に収納されている塩素成分除去剤３２により構成されている。ケース本体３１は、後側の固定側ケース３１ａと前側の可動側ケース３１ｂとに分割されている。可動側ケース３１ｂは、固定側ケース３１ａの前側開口部に取外し可能に嵌合されるもので、固定側ケース３１ａには、その前側開口部から塩素成分除去剤３２が抜き差し可能に挿入される。
【００３２】
固定側ケース３１ａには、その下面側の後部に、接続孔３１ｃが設けられている。接続孔３１ｃは、固定側ケース３１ａ内における塩素成分剤３２の後側空間部に開口している。また、ケース本体３１の一側の前方の部位には、ケース本体３１内に開口する排気口３１ｄが設けられている。また、固定側ケース３１ａには、その下面の前側の部位にＬ字状の係合片３１ｅが形成されており、かつ、その後端面には板状の係合片３１ｆが形成されている。
【００３３】
塩素成分除去装置３０で採用されている塩素成分除去剤３２は、活性炭の粉末を成形材料として成形してなる多積層のダンボール状のもので、無数の通気路を有する多孔質の活性炭構造体である。当該塩素成分除去剤３２は、塩素成分を含有するガスが透過する際、当該ガスが含有する塩素成分を吸着して除去すべく機能する。
【００３４】
塩素成分除去装置３０は、第１貯留タンク１０ａおよび第２貯留タンク１０ｂ間に配置されている中和処理装置２０の上方にて配置されているが、配置するに際しては、接続孔３１ｃを、各ガス導入パイプ３３を介して中和処理装置２０の連結機構部２０ａにおける第３連結管部２６ｃに連結する。その後、固定側ケース３１ａの係合片３１ｆをカバー４１の前側フランジ部に差込み、かつ、固定側ケース３１ａの係合片３１ｅを連結機構部２０ａに設けた係合片２６ｄに係合して、中和処理装置２０上に載置する。これにより、塩素成分除去装置３０は、第１貯留タンク１０ａおよび第２貯留タンク１０ｂ間にて中和処理装置２０の上方に配置される。
【００３５】
当該塩素成分除去装置３０においては、塩素成分除去剤３２として活性炭の構造体を使用して、活性炭の吸着作用によりガス中の塩素成分を除去するものである。塩素成分除去剤３２における塩素成分の吸着能は、使用により漸次低下するものであり、このため、塩素成分除去剤３２を定期的に交換する必要がある。当該塩素成分除去装置３０においては、上記した配置状態では、固定側ケース３１ａに対して脱着可能な可動側ケース３１ｂを固定側ケース３１ａから容易に取外すことができ、これにより、塩素成分除去剤３２を容易に交換することができる。
【００３６】
このように構成した電解生成水の貯留装置Ａにおいては、第１貯留タンク１０ａ内の上方空間部に滞留する空気、塩素成分、およびその他の成分が混在するガスを、オーバフロー流路を形成する連結機構部２０ａを通して塩素成分除去装置３０に導入し、塩素成分除去剤３２を透過して、当該塩素成分除去装置３０から外気へ放出することができる。この間、導入されたガスが含有する塩素成分は塩素成分除去剤３２によって吸着除去される。このため、当該貯留装置Ａによれば、塩素成分の大気中への放出を確実に防止することができて、塩素成分の大気中への放出に起因する周囲の環境に及ぼす影響を確実に防止することができる。
【００３７】
また、当該貯留装置Ａにおいては、第１貯留タンク１０ａ内の余剰の電解生成酸性水をオーバフロー流路を介して中和処理装置２０内に導入する際、オーバフロー流路の途中に設けたガス滞留部Ｒにて、導入途中の電解生成酸性水が含有する揮発成分をガスとして滞留させることができ、かつ、ガス滞留部Ｒに滞留しているガスをオーバフロー流路を形成する連結機構部２０ａを通して塩素成分除去装置３０に導入し、塩素成分除去剤３２を透過して、当該塩素成分除去装置３０から外気へ放出することができる。この間、導入されたガスが含有する塩素成分は塩素成分除去剤３２によって吸着除去される。
【００３８】
当該塩素成分の除去手段を採れば、導入途中の電解生成酸性水が含有する塩素成分を十分に除去することができて、中和処理装置２０内での電解生成酸性水からの塩素成分の発生を皆無に近い状態に大きく抑制することができる。このため、中和処理装置２０から排出させる排気中の塩素成分量を、含有を許容される極めて微量に抑えることができる。
【００３９】
このような機能を有する当該貯留装置Ａにおいては、塩素成分除去装置３０を第１貯留タンク１０ａと第２貯留タンク１０ｂ間の下方部に配置されている中和処理装置２０の上方側空間部に配置しているものである。当該空間部は、塩素成分除去装置を有しない当該形式の既存の貯留装置においては無用の空間部であって、当該空間部に塩素成分除去装置３０を配置しても、当該形式の既存の貯留装置に比較しても、実質的には変わらないコンパクトに構成することができる。このため、塩素成分除去装置３０を第１貯留タンク１０ａ側および中和処理装置３０側に連通させる連結構造を、連結機構部２０ａを使用した簡単かつ小型の構成とすることができる。この結果、中和処理装置２０および塩素成分除去装置３０を一対の貯留タンク１０ａ，１０ｂに一体化してなる当該貯留装置Ａをコンパクトに構成することができる。
【００４０】
当該貯留装置Ａにおいては、塩素成分除去装置３０を配置した第１の目的は、第１貯留タンク１０ａ内で揮発する塩素成分の除去にあるが、第２の目的は、中和処理装置２０内での電解生成酸性水に起因する塩素成分の揮発を皆無またはこれに近い状態として、中和処理装置２０から排出される排気が含有する塩素成分の量を許容値以下に抑えることにある。当該貯留装置Ａにおいては、第１貯留タンク１０ａ内の余剰の電解生成酸性水を中和処理装置２０内に導入すべく機能するオーバフロー流路の途中にガス滞留部Ｒを設けて、当該ガス滞留部Ｒを塩素成分除去装置３０に連通させる手段を採っている。
【００４１】
これにより、中和処理装置２０内に導入途中の電解生成酸性水から塩素成分をガス滞留部Ｒで揮発させて、電解生成酸性水が含有する塩素成分を十分に除去することができて、中和処理装置２０内に導入された電解生成酸性水からの塩素成分の揮発を十分に抑制することができるものである。当該貯留装置Ａにおいては、当該塩素成分の除去手段を、オーバフロー流路を形成する連結機構部２０ａのケース２４内にガス滞留部Ｒを形成することにより構成しているが、ガス滞留部Ｒを形成する手段としては、例えば、連結機構部２０ａの第３連結管部２６ｃを第１連結管部２６ａから上方に延出する分岐管部に形成し、当該分岐管部をガス滞留部として、当該ガス滞留部を塩素成分除去装置３０に連通させるようににする。この場合には、ケース２４内にガス滞留部Ｒは、電解生成酸性水が滞留する液体滞留部としてだけ機能させるようにすることができる。
【図面の簡単な説明】
【００４２】
【図１】本発明の一実施形態に係る貯留装置の概略的構成図である。
【図２】同貯留装置を前側からみた斜視図である。
【図３】同貯留装置を左右の中央部で縦断した状態の一側からみた斜視図である。
【図４】同貯留装置を構成する第１貯留タンクの一側からみた斜視図である。
【図５】同貯留装置を構成する中和処理装置の一側からみた斜視図である。
【図６】同貯留装置を構成する塩素成分除去装置の一側下方からみた斜視図である。
【符号の説明】
【００４３】
Ａ…貯留装置、Ｂ…電解水生成装置、ｂ1…電解槽、ｂ2…チェンジバルブ、Ｃ…シンクの下方空間部、１０ａ…第１貯留タンク、１０ｂ…第２貯留タンク、１１…タンク本体、１１ａ…供給孔、１１ｂ…流出孔、１１ｃ…ドレン孔、１２…抽出管路、１３…供給ポンプ、１４…タンク本体、１５…抽出管路、１６…供給ポンプ、１７…オーバフローパイプ、２０…中和処理装置、２０ａ…連結機構部、２１…ケース本体、２１ａ…供給口、２１ｂ，２１ｃ…目盛り、２２…導入パイプ、２３…排水パイプ、２４…ケース、２５…連通パイプ、２６…連結具、２６ａ…第１連結管部、２６ｂ…第２連結管部、２６ｃ…第３連結管部、２７…連結パイプ、２８…キャップ、３０…塩素成分除去装置、３１…ケース本体、３１ａ…固定側ケース、３１ｂ…可動側ケース、３１ｃ…接続孔、３１ｄ…排気口、３１ｅ，３１ｆ…係合片、３２…塩素成分除去剤、３３…ガス導入パイプ、４１…カバー、４２…切替弁、４３…供給パイプ。
【図１】
2005054242.tif 000003
【図２】
2005054242.tif 000004
【図３】
2005054242.tif 000005
【図４】
2005054242.tif 000006
【図５】
2005054242.tif 000007
【図６】
2005054242.tif 000008